(57)【要約】【課題】ストリーム間での伝送遅延ゆらぎ量の公平性を確保して、複数種類のストリームを時分割多重してパッシブネットワークの伝送路経由で伝送する送信装置及び受信装置を提供する。【解決手段】本発明の送信装置１０は、自装置内のクロックを基に定期的に生成した送信時刻を示す送信基準時刻情報を生成する送信基準時刻情報生成部１２と、該送信基準時刻情報を格納した基準時刻パケットと、該送信基準時刻情報を付与したストリームの伝送フレームを巡回的並列送信制御法に基づき時分割多重した伝送信号を生成する巡回的並列送信制御部１５及び時分割多重化部１６と、その伝送信号に対し符号化処理を施す伝送路符号化部１６と、を備える。本発明の受信装置２０は、送信基準時刻情報を基に、受信した複数種類のストリームの各々における伝送フレームの時分割多重化によって生じる所定の伝送遅延ゆらぎを補正する。【選択図】図２
2018148288.tif 000002
【特許請求の範囲】
【請求項１】
ベースバンド伝送方式により、パッシブネットワークの伝送路を経由させて複数種類のストリームを時分割多重して送信する送信装置であって、
当該送信装置内のクロックに基づいて、所定の周期で送信時刻を示す送信基準時刻情報を生成する送信基準時刻情報生成手段と、
前記送信基準時刻情報を前記ストリームを構成する伝送フレームに格納し、当該伝送フレームに格納された前記送信基準時刻情報を基準時刻パケットとして生成する基準時刻パケット生成手段と、
前記基準時刻パケットの生成と同時に、前記複数種類のストリームの各々の伝送フレームに前記送信基準時刻情報を付与する送信基準時刻情報付加手段と、
前記送信基準時刻情報を付与した複数種類のストリームの各々の伝送フレームと、前記基準時刻パケットとを巡回的並列送信制御法に基づき時分割多重した伝送信号を生成し、生成した当該伝送信号を制御する時分割多重・送信制御手段と、
前記パッシブネットワークの伝送路で伝送するための符号化処理を前記伝送信号に施し、当該伝送信号を送信する伝送路符号化手段と、
を備えることを特徴とする送信装置。
【請求項２】
前記時分割多重・送信制御手段は、巡回的並列送信制御法に基づき、前記送信基準時刻情報を付与した複数種類のストリームの各々における伝送フレームよりも前記基準時刻パケットを最優先で時分割多重した伝送信号を生成することを特徴とする、請求項１に記載の送信装置。
【請求項３】
ベースバンド伝送方式により、パッシブネットワークの伝送路を経由させて複数種類のストリームを時分割多重して受信する受信装置であって、
請求項１又は２に記載の送信装置から送信される前記符号化処理が施された伝送信号を受信して所定の復号処理を施す伝送路符号化復号手段と、
前記基準時刻パケット内の前記送信基準時刻情報を基に当該受信装置の時計を設定する時計設定手段と、
当該時計に設定された時刻に一定値を加算した遅延補正時刻情報を生成する遅延補正時刻生成手段と、
前記送信基準時刻情報を持つ複数種類のストリームのうち、選局した１個以上のストリームを分離する分離手段と、
前記遅延補正時刻情報を基に、前記選局した１個以上のストリームを外部に出力するタイミングを調整し、前記複数種類のストリームの各々における伝送フレームを時分割多重することで生じる所定の伝送遅延ゆらぎを補正する伝送遅延ゆらぎ補正手段と、
を備えることを特徴とする受信装置。
【請求項４】
前記遅延補正時刻生成手段は、予め想定した所定の最大遅延ゆらぎ量以上の値を前記一定値とし当該時計設定した時刻に加算し、前記遅延補正時刻を生成することを特徴とする、請求項３に記載の受信装置。
【請求項５】
前記伝送遅延ゆらぎ補正手段は、前記選局した１個以上のストリームから前記送信基準時刻情報を除去して外部出力する送信基準時刻情報除去手段を備えることを特徴とする、請求項３又は４に記載の受信装置。
【発明の詳細な説明】
【技術分野】
【０００１】
本発明は、送信側において映像信号、音声信号、又はデータ信号を載せたパケット列で構成される複数種類のストリームを時分割多重してパッシブネットワークの伝送路経由で伝送する送信装置及び受信装置に関する。
【背景技術】
【０００２】
現在のデジタル放送で採用されているトランスポートストリームは、ＭＰＥＧ−２ ＴＳ（トランスポートストリーム）のパケットのような同期バイト０ｘ４７で始まる固定長（１８８バイト）のパケット列で、或る情報のまとまりをなすものである。
【０００３】
ＭＰＥＧ−２ ＴＳ以外のストリームとしては、可変長パケットのパケット列で構成されるＭＭＴ（MPEG Media Transport）や、ＴＬＶ（Type Length Value）がある。ＭＰＥＧ−２ ＴＳのパケット（以下、「ＴＳパケット」と称する）、ＭＭＴのパケット（以下、「ＭＭＴパケット」と称する）、及びＴＬＶのパケット（以下、「ＴＬＶパケット」と称する）は、デジタル放送における映像符号化、一般社団法人 電波産業会（ＡＲＩＢ）の標準規格（例えばＡＲＩＢ ＳＴＤ−Ｂ３２）で規定されている。
【０００４】
一方、ケーブルテレビや通信回線上で、放送の再放送を行う方法には、放送と同様に無線周波数（ＲＦ）信号で伝送する方法と、一般社団法人 ＩＰＴＶフォーラム（ＩＰＴＶ−Ｆ）で規定するＩＰ（Internet Protocol）マルチキャスト放送がある。ＲＦ信号で伝送する方法については、一般社団法人 日本ＣＡＴＶ技術協会の標準規格（例えばＪＣＴＥＡ ＳＴＤ−００２−５．０）で規定されている。また、ＩＰマルチキャスト放送については、ＩＰＴＶ−Ｆの運用規定（例えばＩＰＴＶＦＪ ＳＴＤ−０００５）で規定している。
【０００５】
ＩＰマルチキャスト放送では、受信側から上り信号で所望の伝送ストリームを要求し、視聴するストリームのみを、通信の下り信号に混在して伝送する。一方で、放送やケーブルテレビと同様に、全ての放送ストリームを時分割多重して家庭まで伝送する放送型ベースバンド伝送方式が開示されている（例えば、非特許文献１参照）。非特許文献１に開示される放送型ベースバンド伝送方式では、放送用に専用の波長を、通信用波長とは別に新たに割り当てるものとなっている。
【先行技術文献】
【非特許文献】
【０００６】
【非特許文献１】袴田ほか，“１０Ｇイーサネット（登録商標）を用いるＦＴＴＨデジタル放送一括配信装置の試作”,  電子情報通信学会技術研究報告 CS，通信方式, vol.114, no.119, CS2014-38, 2014, p.127-130，2014年6月26日発行
【発明の概要】
【発明が解決しようとする課題】
【０００７】
非特許文献１に開示される放送型ベースバンド伝送方式では、複数のストリームを時分割多重してパッシブネットワークの伝送路経由で伝送し、受信装置で所望のストリームを選局・出力することができる。パッシブネットワークの伝送路では、既存のＲＦ信号と同じように、送受間（局間網・アクセス網）でスイッチを介在させないため、予期しない伝送遅延は本来生じにくいものとなっている。
【０００８】
例えば、図７に示すように、送信装置１００は複数のストリームを時分割多重してパッシブネットワークの伝送路経由で受信装置２００に伝送することができる。図７では、送信装置１００が、ＭＭＴのストリームと、ＭＰＥＧ−２ ＴＳのストリームを受信装置２００に向けて伝送する場合を示している。
【０００９】
図７に示す送信装置１００は、送信キュー１０１，１０２と、時分割多重化部１０３とを備える。この送信装置１００は、ＭＭＴのストリームについてはそのＭＭＴパケットをイーサネット（登録商標）フレーム化して送信キュー１０１に格納し、ＭＰＥＧ−２ ＴＳのストリームについてはそのＴＳパケットをイーサネット（登録商標）フレーム化して送信キュー１０２に格納する。
【００１０】
送信キュー１０１及び送信キュー１０２に格納されたイーサネット（登録商標）フレームの伝送フレームは、巡回的並列送信制御（ラウンドロビン）法に基づき、順番に時分割多重化部１０３に送出される。
【００１１】
時分割多重化部１０３は、送信キュー１０１及び送信キュー１０２から順番に送出された伝送フレームを時分割多重してパッシブネットワークの伝送路経由で受信装置２００に伝送する。
【００１２】
一方、受信装置２００は、分離・選局部２１０を備え、例えばＭＭＴのストリームを選局すると、分離・選局部２１０はＭＭＴパケットをイーサネット（登録商標）フレーム化した伝送フレームを分離抽出して出力する。これにより受信装置２００は、図示しない後段の処理で、選局したＭＭＴのストリームを復元することができる。
【００１３】
しかしながら、この放送型ベースバンド伝送方式では、図７に示すように、送信装置１００で時分割多重する際に、伝送フレームの伝送遅延ゆらぎが生じ、受信装置２００側から出力するストリームに伝送遅延ゆらぎが生じる。送信装置１００から伝送する伝送ストリーム数が増大するほど、受信装置２００から出力されるストリームの伝送遅延ゆらぎは大きくなる傾向がある。
【００１４】
伝送遅延ゆらぎの増大は、伝送フレーム損失につながるため、受信装置２００側では伝送遅延ゆらぎを吸収するのに十分なサイズのバッファサイズを設ける必要があり、コストの増大につながるという問題や、受信装置２００の後段の処理（例えば再生処理）で、選局したストリームに関する映像再生等の処理負担の増大につながるという問題が生じる。
【００１５】
即ち、従来技法では、ＭＭＴパケットやＴＬＶパケットなどの可変長パケット列で構成されるストリームを多重伝送する場合には、そのストリーム間で伝送遅延ゆらぎ量の公平性（即ち、伝送サービスの公平性）を確保することができなくなるため、伝送遅延ゆらぎを抑制する技法が望まれる。
【００１６】
本発明は、上述の問題に鑑みて、ストリーム間での伝送遅延ゆらぎ量の公平性を確保して、複数種類のストリームを時分割多重してパッシブネットワークの伝送路経由で伝送する送信装置及び受信装置を提供する。
【課題を解決するための手段】
【００１７】
本発明の送信装置は、自装置内のクロックを基に定期的に生成した送信基準時刻情報を格納した基準時刻パケットを生成すると同時に、伝送する複数種類のストリームの各々における伝送フレームに当該送信基準時刻情報を付与して、基準時刻パケットと共に時分割多重し、パッシブネットワークの伝送路経由で受信装置に向けて伝送する。
【００１８】
また、本発明の受信装置は、本発明の送信装置から得られる基準時刻パケット内の送信基準時刻情報を基に送受間の同期を確保して時計設定し、選局したストリームを出力するタイミングを調整することにより伝送遅延ゆらぎを補正する。
【００１９】
即ち、本発明の送信装置は、ベースバンド伝送方式により、パッシブネットワークの伝送路を経由させて複数種類のストリームを時分割多重して送信する送信装置であって、当該送信装置内のクロックに基づいて、所定の周期で送信時刻を示す送信基準時刻情報を生成する送信基準時刻情報生成手段と、前記送信基準時刻情報を前記ストリームを構成する伝送フレームに格納し、当該伝送フレームに格納された前記送信基準時刻情報を基準時刻パケットとして生成する基準時刻パケット生成手段と、前記基準時刻パケットの生成と同時に、前記複数種類のストリームの各々の伝送フレームに前記送信基準時刻情報を付与する送信基準時刻情報付加手段と、前記送信基準時刻情報を付与した複数種類のストリームの各々の伝送フレームと、前記基準時刻パケットとを巡回的並列送信制御法に基づき時分割多重した伝送信号を生成し、生成した当該伝送信号を制御する時分割多重・送信制御手段と、前記パッシブネットワークの伝送路で伝送するための符号化処理を前記伝送信号に施し、当該伝送信号を送信する伝送路符号化手段と、を備えることを特徴とする。
【００２０】
また、本発明の送信装置において、前記時分割多重・送信制御手段は、巡回的並列送信制御法に基づき、前記送信基準時刻情報を付与した複数種類のストリームの各々における伝送フレームよりも前記基準時刻パケットを最優先で時分割多重した伝送信号を生成することを特徴とする。
【００２１】
更に、本発明の受信装置は、ベースバンド伝送方式により、パッシブネットワークの伝送路を経由させて複数種類のストリームを時分割多重して受信する受信装置であって、本発明の送信装置から送信される前記符号化処理が施された伝送信号を受信して所定の復号処理を施す伝送路符号化復号手段と、前記基準時刻パケット内の前記送信基準時刻情報を基に当該受信装置の時計を設定する時計設定手段と、当該時計に設定された時刻に一定値を加算した遅延補正時刻情報を生成する遅延補正時刻生成手段と、前記送信基準時刻情報を持つ複数種類のストリームのうち、選局した１個以上のストリームを分離する分離手段と、前記遅延補正時刻情報を基に、前記選局した１個以上のストリームを外部に出力するタイミングを調整し、前記複数種類のストリームの各々における伝送フレームを時分割多重することで生じる所定の伝送遅延ゆらぎを補正する伝送遅延ゆらぎ補正手段と、を備えることを特徴とする。
【００２２】
また、本発明の受信装置において、前記遅延補正時刻生成手段は、予め想定した所定の最大遅延ゆらぎ量以上の値を前記一定値とし当該時計設定した時刻に加算して、前記遅延補正時刻を生成することを特徴とする。
【００２３】
また、本発明の受信装置において、前記伝送遅延ゆらぎ補正手段は、前記選局した１個以上のストリームから前記送信基準時刻情報を除去して外部出力する送信基準時刻情報除去手段を備えることを特徴とする。
【発明の効果】
【００２４】
本発明によれば、放送型ベースバンド伝送方式にて伝送する複数種類のストリームについて、受信装置から出力するストリームの伝送遅延ゆらぎを補正し、ストリーム間での伝送遅延ゆらぎ量の公平性を確保することができる。
【図面の簡単な説明】
【００２５】
【図１】本発明による一実施形態の送信装置及び受信装置から構成される放送型ベースバンド伝送方式の伝送システムの概略構成を示すブロック図である。
【図２】本発明による一実施形態の送信装置の概略構成を示すブロック図である。
【図３】本発明による一実施形態の受信装置の概略構成を示すブロック図である。
【図４】本発明による一実施形態の送信装置の一実施例の動作を示す図である。
【図５】本発明による一実施形態の受信装置の一実施例の動作を示す図である。
【図６】本発明による一実施形態の送信装置及び受信装置から構成される放送型ベースバンド伝送方式の伝送システムにおける最大遅延ゆらぎ量の計算値を示す図である。
【図７】従来技術の放送型ベースバンド伝送方式の伝送システムの概略構成を示すブロック図である。
【発明を実施するための形態】
【００２６】
以下、図面を参照して、本発明による一実施形態の送信装置１０及び受信装置２０について説明する。
【００２７】
（伝送システム）
まず、図１には、本発明による一実施形態の送信装置１０及び受信装置２０から構成される放送型ベースバンド伝送方式の伝送システムの概略構成を示している。図１に示す放送型ベースバンド伝送方式の伝送システムは、送信装置１０から、複数種類（ｎ種類）のストリームＤ１〜Ｄｎを時分割多重してパッシブネットワークの伝送路経由で受信装置２０に伝送し、受信装置２０側で各ストリームＤ１〜Ｄｎを分離するよう構成されている。図１に示す放送型ベースバンド伝送方式では、放送用に専用の波長を、通信用波長とは別に新たに割り当てている。また、送信装置１０及び受信装置２０は、既存のＲＦ信号と同じように、限定するものではないがＰＯＮ（Passive Optical Network）のような、パッシブネットワークの伝送路経由で複数種類のストリームＤ１〜Ｄｎを時分割多重して伝送するため、送受間（局間網・アクセス網）でスイッチを介在させないものとなっている。
【００２８】
（送信装置）
図２は、本発明による一実施形態の送信装置１０の概略構成を示すブロック図である。送信装置１０は、クロック源１１と、送信基準時刻情報生成部１２と、カプセル化部１３と、基準時刻パケット生成部１４と、巡回的並列送信制御部１５と、時分割多重化部１６と、伝送路符号化部１７と、を備える。
【００２９】
クロック源１１は、送信装置１０内のクロックを発生し、常時、送信基準時刻情報生成部１２に出力する。
【００３０】
送信基準時刻情報生成部１２は、クロック源１１からのクロックを入力してカウントするクロックカウンタを備え、クロック源１１からのクロックを基に定期的に、送信側の時刻情報を生成し、この送信側の時刻情報を送信基準時刻情報として、カプセル化部１３及び基準時刻パケット生成部１４に出力する。
【００３１】
カプセル化部１３は、複数種類（ｎ種類）のストリームＤ１〜Ｄｎの各々に対し、それぞれ送信基準時刻情報付加部１３１‐１〜１３１‐ｎを備えている。
【００３２】
送信基準時刻情報付加部１３１‐１〜１３１‐ｎの各々は、対応する複数種類（ｎ種類）のストリームＤ１〜Ｄｎの各々を入力し、パッシブネットワークの伝送路経由で伝送する所定長の伝送フレームにカプセル化し、送信基準時刻情報生成部１２によって定期的に生成される送信基準時刻情報を入力次第、当該伝送フレーム内に付加して巡回的並列送信制御部１５に出力する。
【００３３】
ここで、当該伝送フレームに送信基準時刻情報を付加する方法として、例えばＴＳパケットであれば、この伝送フレームとして例えばイーサネット（登録商標）フレームにＴＳパケット群をカプセル化し、その先頭のＴＳパケットに送信基準時刻情報を付加したＴＴＳ（Time-stamped Transport Stream）パケットとする方法や、その伝送フレームのヘッダ情報内の空き領域に当該送信基準時刻情報を記述する方法などがある。ＭＭＴやＴＬＶなどの他のストリームについても同様に構成することができる。即ち、当該伝送フレームに送信基準時刻情報を付加する方法は、送信装置１０及び受信装置２０間で既知であれば任意の方法とすることができる。
【００３４】
基準時刻パケット生成部１４は、送信基準時刻情報生成部１２によって定期的に生成される送信基準時刻情報を入力次第、その送信基準時刻情報を格納した伝送フレームを基準時刻パケットとして生成し、巡回的並列送信制御部１５に出力する。
【００３５】
尚、カプセル化部１３は、各ストリームを識別するためのＩＤ（例えば、ストリームＩＤ）と紐づけられたＩＰアドレスやＶＬＡＮタグ等の選局識別情報をストリームＤ１〜Ｄｎ毎に割り当て各伝送フレームのヘッダに記述する。同様に、基準時刻パケット生成部１４は、基準時刻パケットに対し固定の選局識別情報を割り当て、その伝送フレームのヘッダに記述する。
【００３６】
巡回的並列送信制御部１５は、複数種類（ｎ種類）のストリームＤ１〜Ｄｎの各々に対応する伝送フレームをカプセル化部１３から入力して格納するそれぞれの送信キュー１５１‐１〜１５１‐ｎと、基準時刻パケットとして構成した伝送フレームを基準時刻パケット生成部１４から入力して格納する送信キュー１５２とを備え、送信キュー１５１‐１〜１５１‐ｎ及び送信キュー１５２に格納される各伝送フレームを、巡回的並列送信制御（ラウンドロビン）法に基づき、順番に時分割多重化部１０３に送出する。
【００３７】
ここで、基準時刻パケットは一定周期ごとに生成されるが、巡回的並列送信制御部１５は、当該送信基準時刻情報を付与した複数種類のストリームの各々における伝送フレームよりも当該基準時刻パケットを最優先で巡回的並列送信制御法に基づき時分割多重させるよう時分割多重化部１６に送出する。このため、巡回的並列送信制御部１５は、送信キュー１５２に基準時刻パケットとして構成した伝送フレームが格納（エンキュー）された否かを常に監視し、格納された時点で直ちに時分割多重化部１６に出力するよう制御する。
【００３８】
時分割多重化部１６は、巡回的並列送信制御部１５から入力される伝送フレームを時分割多重して伝送路符号化部１７に出力する。上述したように、時分割多重化部１６は、基準時刻パケットについては、複数種類のストリームの各々における伝送フレームよりも最優先で巡回的並列送信制御法に基づき多重して伝送路符号化部１７に出力する。
【００３９】
伝送路符号化部１７は、時分割多重化部１６から出力する時分割多重化した伝送信号に対し誤り訂正符号化処理などの伝送路符号化処理を施し、パッシブネットワークの伝送路経由で受信装置２０に伝送する。この伝送路符号化処理として、例えばＩＥＥＥで規格化された１０ＧＥ−ＰＯＮ符号化（ＩＥＥＥ ８０２．３ａｖ）とすることができる。
【００４０】
（受信装置）
図３には、本発明による一実施形態の受信装置２０の概略構成を示している。受信装置２０は、伝送路符号化復号部２１と、分離部２２と、クロック再生部２３と、基準時刻パケット抽出部２４と、時計２５と、遅延補正時刻生成部２６と、遅延量設定部２７と、伝送遅延ゆらぎ補正部２８と、を備える。
【００４１】
伝送路符号化復号部２１は、送信装置１０からの伝送信号を受信し、送信装置１０における伝送路符号化部１７の伝送路符号化処理に対応する復号処理を行い、分離部２２に出力する。
【００４２】
分離部２２は、外部から設定されるストリーム選局信号に基づき、伝送路符号化復号部２１による復号処理後の伝送信号から所望の選局したストリームを分離して伝送遅延ゆらぎ補正部２８に出力するとともに、伝送路符号化復号部２１による復号処理後の伝送信号に基準時刻パケットが含まれているときは、基準時刻パケット抽出部２４によって当該基準時刻パケットが抽出される。
【００４３】
ストリーム選局信号は、受信装置２０の操作者が所望する各ストリームを識別する選局識別情報に基づいた信号である。
【００４４】
尚、ストリーム選局信号は、送信装置１０から伝送される複数種類（ｎ種類）のストリームＤ１〜Ｄｎのうちの１つ又は複数を選局でき、図３では、当該複数種類（ｎ種類）のストリームＤ１〜Ｄｎの全部を選局した例を示している。このため、受信装置２０について、予め当該複数種類（ｎ種類）のストリームＤ１〜Ｄｎの全部を分離し伝送遅延ゆらぎ補正の対象として出力するよう構成するときは、必ずしもストリーム選局信号を分離部２２に入力する構成とする必要はない。
【００４５】
また、分離部２２から出力される当該複数種類（ｎ種類）のストリームＤ１〜Ｄｎの各々の伝送フレームには送信基準時刻情報（例えば時刻Ａ）が含まれているものがあり、このため分離部２２からは、送信基準時刻情報（例えば時刻Ａ）付きの複数種類（ｎ種類）のストリームＤ１〜Ｄｎが分離して出力される。
【００４６】
クロック再生部２３は、伝送路符号化復号部２１からの出力信号からクロックを再生し、時計２５に出力する。
【００４７】
基準時刻パケット抽出部２４は、分離部２２に対し、伝送路符号化復号部２１による復号処理後の伝送信号に基準時刻パケットが含まれているか否かを、固有に割り当てられている選局識別情報に基づいて常時監視し、基準時刻パケットが含まれているときは抽出して時計２５に出力する。
【００４８】
時計２５は、クロック再生部２３によって再生したクロックを入力してカウントするクロックカウンタを備え、これにより送信側と一致するクロック同期を行い、基準時刻パケット抽出部２４から基準時刻パケットを入力次第、基準時刻パケットに含まれる送信基準時刻情報（例えば時刻Ａ）を基に時刻設定し、出力制御部２８１を時刻同期させ、且つ当該時刻設定した送信基準時刻情報（例えば時刻Ａ）の時刻を遅延補正時刻生成部２６に通知する。
【００４９】
遅延補正時刻生成部２６は、送信基準時刻情報（例えば時刻Ａ）の時刻に対し、遅延量設定部２７から設定される一定値（予め想定した最大遅延ゆらぎ量以上の値）を加算した時刻を示す遅延補正時刻情報（例えば時刻Ｂ）を生成し、伝送遅延ゆらぎ補正部２８に出力する。
【００５０】
遅延量設定部２７は、一定値（予め想定した最大遅延ゆらぎ量以上の値）を遅延補正時刻生成部２６に設定する。
【００５１】
伝送遅延ゆらぎ補正部２８は、出力制御部２８１、及び出力バッファ２８２−１，２８２−ｎを備える。
【００５２】
出力制御部２８１は、時計２５によって時刻同期して動作し、遅延補正時刻生成部２６から遅延補正時刻情報（例えば時刻Ｂ）を入力し、複数種類（ｎ種類）のストリームＤ１〜Ｄｎの各々に付加されている送信基準時刻情報を監視して、送信基準時刻情報（例えば時刻Ａ）を持つ複数種類（ｎ種類）のストリームＤ１〜Ｄｎの各々の時刻が遅延補正時刻情報（例えば時刻Ｂ）になった時点で外部に出力するよう、複数種類（ｎ種類）のストリームＤ１〜Ｄｎの各々を一時保持するそれぞれの出力バッファ２８２−１，２８２−ｎの出力を制御する。
【００５３】
出力バッファ２８２−１，２８２−ｎの各々は、複数種類（ｎ種類）のストリームＤ１〜Ｄｎの各々を一時保持するバッファであり、それぞれ送信基準時刻情報除去部２８２ａを備える。送信基準時刻情報除去部２８２ａは、ストリームに付加されている送信基準時刻情報（例えば時刻Ａ）を除去して外部に出力させる機能部である。尚、分離部２２にて、複数種類（ｎ種類）のストリームＤ１〜Ｄｎのうちの１つのみを選局する受信装置２０の場合では、出力バッファ２８２−ｎを１つとすることができる。
【００５４】
（実施例）
以下、より具体的に、図４乃至図６を参照して、本発明による一実施形態の送信装置１０及び受信装置２０について、それぞれ対応する一実施例の送信装置１０ａ及び受信装置２０ａを基に、各動作を詳細に説明する。
【００５５】
図４は、一実施例の送信装置１０ａの動作を示す図である。送信装置１０ａは、ＭＰＥＧ−２ ＴＳのストリームとＭＭＴのストリームを時分割多重して伝送するよう構成され、図２を参照して説明したように、クロック源１１、送信基準時刻情報生成部１２、カプセル化部１３、基準時刻パケット生成部１４、巡回的並列送信制御部１５、時分割多重化部１６、及び伝送路符号化部１７を備えている。
【００５６】
送信基準時刻情報生成部１２は、送信装置１０ａのクロック源１１からのクロックを基にクロックカウンタ１２ａによりカウントして送信基準時刻情報を一定周期で生成し、カプセル化部１３及び基準時刻パケット生成部１４に出力する。
【００５７】
カプセル化部１３は、ＭＰＥＧ−２ ＴＳのストリームとＭＭＴのストリームを伝送フレーム化（例えば、イーサネット（登録商標）フレームによるカプセル化）を行い、一定周期で生成された送信基準時刻情報を付加する。
【００５８】
例えば、カプセル化部１３は、ＭＰＥＧ−２ ＴＳのストリームのＴＳパケット群をカプセル化した伝送フレームについて、一定周期で生成された送信基準時刻情報を入力次第、その入力時点に伝送する伝送フレーム内の先頭のＴＳパケットに付加して、ＭＰＥＧ−２ ＴＴＳパケット化する。ＭＭＴ（もしくはＴＬＶも同様）についても同様に、カプセル化部１３は、１個のＭＭＴパケットを伝送フレーム化（例えば、イーサネット（登録商標）フレームによるカプセル化）し、一定周期で生成された送信基準時刻情報を入力次第、その入力時点に伝送する伝送フレーム内の先頭に付加する。
【００５９】
また、当該一定周期で生成された送信基準時刻情報は、基準時刻パケット生成部１４によって生成される基準時刻パケットに格納される。
【００６０】
ＭＰＥＧ−２ ＴＳ、ＭＭＴ、及び基準時刻パケットを時分割多重化部１６によって時分割多重するために、巡回的並列送信制御部１５は、ＭＰＥＧ−２ ＴＳ、ＭＭＴ、及び基準時刻パケットの各伝送フレームをそれぞれ格納する送信キュー１５１‐１，１５１‐２、及び送信キュー１５２に対し、巡回的並列送信制御（ラウンドロビン）法に基づき、順番に時分割多重化部１０３に送出する際に、送信キュー１５２に格納される基準時刻パケットを最優先にキューイング（デキュー）を行う。
【００６１】
続いて、時分割多重化部１６によって時分割多重化された各伝送フレームは、伝送路符号化部１７によって伝送符号化処理が施され、その伝送信号がパッシブネットワークの伝送路経由で受信装置２０に伝送される。
【００６２】
図５は、一実施例の受信装置２０ａの動作を示す図である。受信装置２０ａは、ＭＰＥＧ−２ ＴＳのストリームとＭＭＴのストリームを時分割多重した伝送信号を受信して選局可能に分離し、所望のストリームの伝送遅延ゆらぎ補正を行って出力するよう構成され、図３を参照して説明したように、伝送路符号化復号部２１、分離部２２、クロック再生部２３、基準時刻パケット抽出部２４、時計２５、遅延補正時刻生成部２６、遅延量設定部２７、及び伝送遅延ゆらぎ補正部２８を備えている。
【００６３】
伝送路符号化復号部２１によって復号された伝送信号は、分離部２２に入力される。
【００６４】
分離部２２は、外部から設定されるストリーム選局信号に基づき、伝送路符号化復号部２１による復号処理後の伝送信号から所望の選局したストリーム（本例では、ＭＰＥＧ−２ ＴＳのストリームとＭＭＴのストリーム）を分離して伝送遅延ゆらぎ補正部２８に出力する。
【００６５】
ここで、伝送路符号化復号部２１による復号処理後の伝送信号に基準時刻パケットが含まれているとき、基準時刻パケット抽出部２４は、分離部２２に対し当該基準時刻パケットを分離させて抽出し、時計２５に出力する。
【００６６】
時計２５は、クロック再生部２３によって再生したクロックを入力してカウントするクロックカウンタ２３ａにより送信側と一致するクロック同期を行う。
【００６７】
そして、時計２５は、基準時刻パケット抽出部２４から基準時刻パケットを入力次第、基準時刻パケットに含まれる送信基準時刻情報（例えば時刻Ａ）を基に時刻設定し、伝送遅延ゆらぎ補正部２８内の出力制御部２８１を時刻同期させ、且つ当該時刻設定した送信基準時刻情報（例えば時刻Ａ）の時刻を遅延補正時刻生成部２６に通知する。
【００６８】
遅延補正時刻生成部２６は、送信基準時刻情報（例えば時刻Ａ）の時刻に対し、遅延量設定部２７から設定される一定値（予め想定した最大遅延ゆらぎ量以上の値）を加算した時刻を示す遅延補正時刻情報（例えば時刻Ｂ）を生成し、伝送遅延ゆらぎ補正部２８に出力する。
【００６９】
ここで、図６には、本実施形態の伝送システムにおける最大遅延ゆらぎ量の計算値（伝送フレームのフレーム長が１５２２バイトの場合）を示している。図６に示す最大遅延ゆらぎ量（μｓｅｃ）は、式（１）によって算出される。
【００７０】
【数１】
2018148288.tif 000003
【００７１】
式（１）は、１０Ｇイーサネット（登録商標）を用いる伝送システムを想定し、ラウンドロビン法によりｎ個のストリームを多重した場合に、ｊ番目のストリームの最大遅延ゆらぎ量を計算する式であり、Ｌｋはｋ番目のストリームの伝送フレームのフレーム長（バイト）を示す。また、ＬＩＦＧは、或る伝送フレームから次の伝送フレームを送るまでの間隔を示すインターフレームのギャップ（ＩＦＧ）長を示している。
【００７２】
図６から分かるように、最大遅延ゆらぎ量（μｓｅｃ）と伝送ストリーム数とは、ほぼ比例する関係にあり、本実施形態の伝送システムで伝送するストリーム数の最大を予め規定することで、遅延量設定部２７が設定する図６に示す最大遅延ゆらぎ量以上の値を一定値として扱うことができる。
【００７３】
伝送遅延ゆらぎ補正部２８は、時計２５によって時刻同期して動作し、遅延補正時刻生成部２６から遅延補正時刻情報（例えば時刻Ｂ）を入力し、送信基準時刻情報（例えば時刻Ａ）を持つ当該ＭＰＥＧ−２ ＴＳ及びＭＭＴが分離部２２から出力されてくるのを監視して、遅延補正時刻情報（例えば時刻Ｂ）になった時点で、ストリームに付加されている送信基準時刻情報（例えば時刻Ａ）を除去して外部に出力する。
【００７４】
以上のように、本発明に係る送信装置１０及び受信装置２０によれば、ストリーム間での伝送遅延ゆらぎ量の公平性を確保して、複数種類のストリームを時分割多重してパッシブネットワークの伝送路経由で伝送することができる。
【００７５】
特に、ＭＭＴパケットやＴＬＶパケットなどの可変長パケット列で構成されるストリームを時分割多重して伝送する際に、伝送遅延ゆらぎの増大を抑制することができる。
【００７６】
これにより、受信装置２０側ではバッファサイズの縮小化やその後段の処理（例えば再生処理）における時刻合わせを要する処理の負担を軽減させることができる。
【００７７】
上述した実施形態の例では、イーサネット（登録商標）形式のカプセル化、及び１０Ｇイーサネット（登録商標）のパッシブネットワークを例に主として説明したが、本発明は、上述した実施形態の例に限定されるものではなく、特許請求の範囲の記載によってのみ制限される。
【産業上の利用可能性】
【００７８】
本発明によれば、ストリーム間での伝送遅延ゆらぎ量の公平性を確保して、複数種類のストリームを時分割多重してパッシブネットワークの伝送路経由で伝送することができるので、放送型ベースバンド伝送方式の伝送システムの用途に有用である。
【符号の説明】
【００７９】
１０  送信装置
１１  クロック源
１２  送信基準時刻情報生成部
１３  カプセル化部
１４  基準時刻パケット生成部
１５  巡回的並列送信制御部
１６  時分割多重化部
１７  伝送路符号化部
２０  受信装置
２１  伝送路符号化復号部
２２  分離部
２３  クロック再生部
２４  基準時刻パケット抽出部
２５  時計
２６  遅延補正時刻生成部
２７  遅延量設定部
２８  伝送遅延ゆらぎ補正部
１００  送信装置
１０１，１０２  送信キュー
１０３  時分割多重化部
１３１‐１，１３１‐ｎ  送信基準時刻情報付加部
１５１‐１，１５１‐２，１５１‐ｎ，１５２  送信キュー
２００  受信装置
２１０  分離・選局部
２８１  出力制御部
２８２‐１，２８２‐２  出力バッファ
２８２ａ  送信基準時刻情報除去部
【図１】
2018148288.tif 000004
【図２】
2018148288.tif 000005
【図３】
2018148288.tif 000006
【図４】
2018148288.tif 000007
【図５】
2018148288.tif 000008
【図６】
2018148288.tif 000009
【図７】
2018148288.tif 000010